(57)【特許請求の範囲】
【請求項１】
ベースと該ベースを覆うカバー本体から成る配管カバーであり、上記ベースは壁面開口部近傍に固着させる為の当接部と、当接部から立設する側壁部から成り、上記カバー本体はベースの側壁部に係止するとともに壁面開口部から引き出した配管の屈曲部を隠蔽する為の周壁部と、配管ダクトと接続する為に周壁部に開口させて形成した接続部と、壁面と当接させる為に周壁部から延設したフランジ部から成るものであって、ベースの当接部の壁面開口部側の端縁を壁面開口部に設けた化粧プレートと干渉しないように凹ませ、カバー本体のフランジ部の壁面側には壁面開口部に設けた化粧プレートを収納可能な空間部を形成したことを特徴とする配管カバー。
【請求項２】
フランジ部に、ねじを貫通させる為の薄肉部を形成したことを特徴とする請求項１記載の配管カバー。
【請求項３】
ベース及びカバー本体のどちらか一方に係合部を形成し、もう一方には上記係合部が係合するための被係合部を形成するとともに、係合部と被係合部とを強制的に引き離して係合を解除する為の係合解除部をベースとカバー本体の少なくとも一方に設けたことを特徴とする請求項１または２のいずれか記載の配管カバー。
【請求項４】
係合解除部を、ベースとカバー本体の当接する部分であり、且つ、係合部及び該係合部の係合する被係合部の近傍である部分に形成したマイナスドライバー挿入用隙間として設け、上記マイナスドライバー挿入用隙間の幅をマイナスドライバーの先端部の厚みに対応した幅としたことを特徴とする請求項３記載の配管カバー。
【発明の詳細な説明】
【０００１】
【発明の属する技術分野】
本発明は、壁面から配管を引き出した部分において配管の屈曲部を保護するとともに配管ダクトとの接続を行う為の配管カバーに関するものである。
【０００２】
【従来の技術】
従来から、壁面４に施した壁面開口部４ａよりエアコン等の配管３を取り出す場合には、その配管３の屈曲部３ａを隠蔽するとともに壁面４に沿って配設された配管ダクト６の端部と接続する為に配管カバー７が広く利用されてきた。図１３は従来の配管カバー７におけるカバー本体２の取付図であるが、図にも示すように配管カバー７はベース１とカバー本体２の二部品で構成されているのが普通である。
【０００３】
壁面開口部４ａには図１４に示すように化粧プレート５が既設されている場合があり、この場合は壁面４には上記化粧プレート５のドーナツ状の部分が露出した状態にある。この状態で従来の配管カバー７を取り付けるには化粧プレート５の上記露出部の干渉が邪魔になり、この為に施工時には一旦化粧プレート５を取り外すという非常に面倒な作業が必要であった。
【０００４】
【発明が解決しようとする課題】
本発明は上記の点に鑑みてなされたものであり、壁面開口部に化粧プレートが既設された状態であっても、化粧プレートを取り外すことなく取り付けることのできる配管カバーを提供することを課題とするものである。
【０００５】
【課題を解決するための手段】
上記課題を解決するために本発明に係る配管カバーを、ベースと該ベースを覆うカバー本体から成る配管カバーであり、上記ベースは壁面開口部近傍に固着させる為の当接部と、当接部から立設する側壁部から成り、上記カバー本体はベースの側壁部に係止するとともに壁面開口部から引き出した配管の屈曲部を隠蔽する為の周壁部と、配管ダクトと接続する為に周壁部に開口させて形成した接続部と、壁面と当接させる為に周壁部から延設したフランジ部から成るものであって、ベースの当接部の壁面開口部側の端縁を壁面開口部に設けた化粧プレートと干渉しないように凹ませ、カバー本体のフランジ部の壁面側には化粧プレートを収納可能な空間部を形成したことを特徴とするものとする。このような構成にすることで、壁面開口部に化粧プレートが既設された状態又は設置されていない状態のどちらであっても、そのままの状態でベース及びカバー本体を取り付けることができる。
【０００６】
また、フランジ部に、ねじを貫通させる為の薄肉部を形成することが好ましい。このような構成にすることで、カバー本体が不安定な状態にある場合は薄肉部を利用したねじによる固定を行うことで堅固にカバー本体を取り付けることができる。
【０００７】
また、ベース及びカバー本体のどちらか一方に係合部を形成し、もう一方には上記係合部が係合するための被係合部を形成するとともに、係合部と被係合部とを強制的に引き離して係合を解除する為の係合解除部をベースとカバー本体の少なくとも一方に設けることで、何らかの理由でカバー本体を一旦取り外す必要が生じた場合には、係合部と被係合部を引き離す為に力を無理にかけることなく係合解除部を利用して係合を解除し、カバー本体を簡単に取り外すことができる。
【０００８】
また、係合解除部を、ベースとカバー本体の当接する部分であり、且つ、係合部及び該係合部の係合する被係合部の近傍である部分に形成したマイナスドライバー挿入用隙間として設け、上記マイナスドライバー挿入用隙間の幅をマイナスドライバーの先端部の厚みに対応した幅とすることで、マイナスドライバー挿入用隙間にマイナスドライバーの先端部を差し込んで回転させれば係合部と被係合部との間隔が押し広げられるので、簡単にカバー本体を取り外すことができる。
【０００９】
【発明の実施の形態】
以下、本発明を添付図面に示す実施の形態に基づいて説明する。本発明の実施の形態における一例の配管カバー７はベース１とカバー本体２より構成されており、上記ベース１は図２、図３に示すように壁面４に固定させる為の平板状の当接部１０と、カバー本体２を係止する為に当接部１０の両側端より略垂直方向に立設した一対の側壁部１１から成っている。当接部１０にはねじ孔２２を三ヶ所設けるとともに、側壁部１１において化粧プレート５と干渉する恐れのある位置には、化粧プレート５の厚みより僅かに大きな程度の深さで凹部１１ａを形成している。また一対の側壁部１１には夫々、壁面４側に凹状の被係合部１２を二つずつ設けており、そのうちの一方は係合解除用凹部１３ａと連通している。上記係合解除用凹部１３ａはカバー本体２と組み合わせたときに配管ダクト６側に開口したマイナスドライバー挿入用隙間１３を形成する為のものであり、上記マイナスドライバー挿入用隙間１３の形成時にその幅がマイナスドライバー２０の先端部の厚みより僅かに大きな程度の幅となるような形状とする。
【００１０】
カバー本体２の形状を図４、図５に示す。カバー本体２はベース１と係合するとともに壁面開口部４ａから引き出した配管３の屈曲部３ａを隠蔽する為の周壁部１４と、配管ダクト６の端部と接続させる為に周壁部１４の下方を開口させて設けた接続部１５と、壁面４と当接させる為に周壁部１４から延設したフランジ部１６により構成されている。周壁部１４の内面には、ベース１の側壁部１１に都合四箇所形成した被係合部１２と対応する位置に、夫々爪状の係合部１７を突設させている。フランジ部１６には壁面開口部４ａに化粧プレート５が設けている場合にも干渉しないように、化粧プレート５を収納できる程度の大きさの空間部１６ａを壁面４側に形成している。またフランジ部１６には止めねじ１８を貫通させられる程度の薄肉部１６ｂを三ヶ所設けている。
【００１１】
上記したベース１とカバー本体２を用いた配管カバー７の組み立て方法について説明する。まず壁面４にベース１を取り付けるのだが、ベース１の側壁部１１には凹部１１ａを設けてあるので、図９に示すように壁面開口部４ａに化粧プレート５が既設してある場合にも凹部１１ａに化粧プレート５が嵌合することで互いに干渉し合うことがない。取り付けはベース１に設けたねじ孔２２を貫通して壁面４に皿頭の固定ねじ１９を固着させることで行う。また図８に示すように化粧プレート５を設けていない場合であっても当然ベース１の取付に支障はない。
【００１２】
次にベース１にカバー本体２を取り付けるのだが、カバー本体２のフランジ部１６には空間部１６ａを形成してあるので、化粧プレート５を既設してある場合にも図１に示すように互いに干渉することなくカバー本体２を取り付けることができる。上記取り付けにはねじを用いず、図６、図７に示すようにベース１に設けた被係合部１２とカバー本体２に設けた係合部１７を四箇所で弾性的に係合させることにより、堅固に行う。このようにすることで良好な外観を得る。仮に取り付け状態が不安定な場合には、図１１に示すようにフランジ部１６に設けた薄肉部１６ｂを利用して止めねじ１８で固定すればよい。また化粧プレート５を設けていない場合であっても、図１０に示すように問題なくカバー本体２を取り付けて配管カバー７を組み立てることができる。
【００１３】
更に、一旦取り付けたカバー本体２を取り外す際には、図１２に示すようにベース１に設けた係合解除用凹部１３ａとカバー本体２の周壁部１４により形成されるマイナスドライバー挿入用隙間１３に、接続部１５側からマイナスドライバー２０の先端部を挿入して回転させればよい。このようにすれば上記先端部の側面が主に周壁部１４を外側に弾性変形させ、それにより係合部１７と被係合部１２が強制的に引き離されることで係合が解除される。
【００１４】
【発明の効果】
上記のように請求項１記載の発明にあっては、配管カバーをベースと該ベースを覆うカバー本体から構成し、ベースの当接部を化粧プレートと干渉しないように凹ませ、カバー本体のフランジ部には化粧プレートを収納可能な空間部を形成することで、壁面開口部に化粧プレートが既設された状態であっても一旦化粧プレートを取り外すといった面倒な作業を要することなく、化粧プレートを設置したままの状態でベース及びカバー本体を取り付けることができるので、施工作業が簡略化される。また化粧プレートが既設の状態に限らず、設置していない状態であっても同様に配管カバーを取り付けることができる。
【００１５】
また請求項２記載の発明にあっては、上記請求項１の効果に加えて、フランジ部にはねじを貫通させる為の薄肉部を形成しているので、カバー本体が不安定である場合にはねじを薄肉部に貫通させて固定を行うことでカバー本体を堅固に取り付けることができ、且つ、ねじによる固定を行う必要のない場合には薄肉部に穿設されることもないので外観が良好である。
【００１６】
請求項３記載の発明にあっては、上記請求項１又は請求項２記載の効果に加えて、ベース及びカバー本体のどちらか一方に係合部を、もう一方には被係合部を形成するとともに、係合部と被係合部とを強制的に引き離す為の係合解除部をベースとカバー本体の少なくとも一方に設けることで、何らかの理由でカバー本体を一旦取り外す必要が生じた場合には、カバー本体に無理な力をかけずとも、係合解除部を利用して係合部と被係合部との間を押し広げることで簡単に係合を解除してカバー本体を取り外すことができる。従って、取り外しの労力を削減し、且つ、カバー本体等の破損を防止することができる。
【００１７】
請求項４記載の発明にあっては、上記請求項３記載の効果に加えて、係合解除部を、カバー本体とベースの当接する部分のなかでも係合部及び被係合部の近傍に形成したマイナスドライバー挿入用隙間として設け、上記マイナスドライバー挿入用隙間の幅をマイナスドライバーの先端部の厚みに対応させることで、マイナスドライバー挿入用隙間にマイナスドライバーの先端部を差し込んで回転させるだけでマイナスドライバーの側面が係合部と被係合部との間隔を押し広げ、係合を解除する。従って簡単な構成で、且つ、特殊な道具を使用することもなく、容易にカバー本体を取り外すことができる。
【図面の簡単な説明】
【図１】  本発明の実施の形態における一例の、化粧プレート設置時のカバー本体取付図である。
【図２】  同上のベースを示しており、（ａ）は背面図、（ｂ）は側面図、（ｃ）は上面図、（ｄ）は正面図、（ｅ）は下面図である。
【図３】  同上のベースを示しており、図２（ｄ）のＡ−Ａ断面図である。
【図４】  同上のカバー本体を示しており、（ａ）は背面図、（ｂ）は側面図、（ｃ）は上面図、（ｄ）は正面図、（ｅ）は下面図である。
【図５】  同上のカバー本体を示しており、図４（ｄ）のＡ−Ａ断面図である。
【図６】  同上のベースとカバー本体により組立てた配管カバーの正面図である。
【図７】  同上の配管カバー取り付け状態における下面図である。
【図８】  同上の化粧プレート非設置時のベース取付図である。
【図９】  同上の化粧プレート設置時のベース取付図である。
【図１０】  同上の化粧プレート非設置時のカバー本体取付図である。
【図１１】  同上のカバー本体のねじ止め方法の説明図である。
【図１２】  同上のカバー本体の取り外し方法の説明図である。
【図１３】  従来例のカバー本体の取付図である。
【図１４】  壁面開口部に化粧プレートが設置された状態を示した斜視図である。
【符号の説明】
１  ベース
２  カバー本体
３  配管
３ａ  屈曲部
４  壁面
４ａ  壁面開口部
５  化粧プレート
６  配管ダクト
７  配管カバー
１０  当接部
１１  側壁部
１１ａ  凹部
１２  被係合部
１３  マイナスドライバー挿入用隙間
１４  周壁部
１５  接続部
１６  フランジ部
１６ａ  空間部
１６ｂ  薄肉部
１７  係合部
１８  止めねじ
２０  マイナスドライバー
【図１】
0004631151.tif 000002
【図２】
0004631151.tif 000003
【図３】
0004631151.tif 000004
【図４】
0004631151.tif 000005
【図５】
0004631151.tif 000006
【図６】
0004631151.tif 000007
【図７】
0004631151.tif 000008
【図８】
0004631151.tif 000009
【図９】
0004631151.tif 000010
【図１０】
0004631151.tif 000011
【図１１】
0004631151.tif 000012
【図１２】
0004631151.tif 000013
【図１３】
0004631151.tif 000014
【図１４】
0004631151.tif 000015